(57)【要約】【課題】  配置に際して高い自由度を有する物品払出機構を提供する。【解決手段】  駆動プーリ１１と、少なくとも一個の従動プーリ１２と、この駆動プーリ１１および従動プーリ１２間に巻回されて駆動プーリ１１の駆動によって水平面内において走行されるとともに複数個の物品Ｇを吊り下げた状態で保持する物品搬送チェーン１３とを備え、物品搬送チェーン１３が、物品Ｇを一個ずつ保持する複数個の物品保持具１３Ａがチェーン状に連結されることによって構成され、各物品保持具１３Ａが、互いに揺動自在に連結される本体１３Ａａと、この本体１３Ａａに取り付けられて物品Ｇを係止するフック部材１３Ａｃとを備えている。【選択図】      図４
2005160752.tif 000002
【特許請求の範囲】
【請求項１】
複数個の物品を吊り下げた状態で列状に保持するとともにこの保持している複数個の物品を列方向に搬送して、予め設定されている払出位置において保持状態を一個ずつ解除して落下させることにより物品の払い出しを行う物品払出機構において、
駆動プーリ部材と、少なくとも一個の従動プーリ部材と、この駆動プーリ部材および従動プーリ部材間に巻回されて駆動プーリ部材の駆動によって水平面内において走行されるとともに複数個の物品を吊り下げた状態で保持する物品搬送チェーン部材と、この物品搬送チェーン部材に吊り下げられている物品の保持状態を予め設定されている払出位置において解除する解除部材とを備え、
前記物品搬送チェーン部材が、物品を一個ずつ保持する複数個の物品保持具がチェーン状に連結されることによって構成され、
前記物品保持具が、連結される前後の他の物品保持具と水平面内において互いに揺動自在に連結される保持具本体と、この保持具本体に物品搬送チェーン部材の走行方向に対して平行な垂直面内において揺動自在に取り付けられたフック部材とを備え、
このフック部材が、保持する物品を解除自在に係止するフック部と、払出位置の手前側において解除部材に係合して物品搬送チェーン部材の走行による物品保持具の移動に伴って解除部材に押圧されることによりフック部材をフック部による物品の係止状態を解除する方向に回動させるレバー部とを有している、
ことを特徴とする物品払出機構。
【請求項２】
前記物品保持具が、前記フック部材のフック部の下方をカバーする位置とこのフック部の下方を開放する位置との間で揺動自在に保持具本体に取り付けられた揺動レバー部材をさらに備えている請求項１に記載の物品払出機構。  
【請求項３】
前記揺動レバー部材が、保持具本体に対して物品搬送チェーン部材の走行方向と平行な垂直面内において揺動自在に取り付けられている請求項２に記載の物品払出機構。
【請求項４】
前記揺動レバー部材が、前記フック部材のフック部の下方をカバーする位置において保持具本体に係合することによりその位置に保持され、この位置から、保持している物品の係止状態を解除するためにフック部材が回動される方向と反対方向に回動されることによって、フック部の下方を開放する請求項３に記載の物品払出機構。
【請求項５】
前記揺動レバー部材が、その上端部が保持具本体に対して物品搬送チェーン部材の走行方向と直角な水平軸を中心に揺動自在に連結され、下部部分がフック部材のフック部の先端部が延びる方向と反対方向に延びるように湾曲している請求項４に記載の物品払出機構。
【請求項６】
前記揺動レバー部材が、フック部材に物品が保持されている状態で、その下部部分の先端部がフック部材に保持されている物品に押接して、フック部材に保持されている物品をフック部との係合方向に付勢する請求項５に記載の物品払出機構。
【請求項７】
前記揺動レバー部材の先端部が、保持具本体の物品搬送チェーン部材の走行方向と直角な水平方向の幅よりも大きい幅を有している請求項６に記載の物品払出機構。
【発明の詳細な説明】
【技術分野】
【０００１】
この発明は、収納している各種物品を払い出す物品払出装置において、各種物品を吊り下げた状態で保持するとともに、その吊り下げた物品を個々に落下させることによって払い出すための機構に関する。
【背景技術】
【０００２】
図１は、一般的な物品払出装置である景品払出装置の形態を示す外観図である。
【０００３】
この図１の景品払出装置１は、本体ケーシング２の上部部分に景品収納スペース２Ａが形成され、下部部分に景品の払出部２Ｂが設けられている。
【０００４】
そして、この景品払出装置１の景品収納スペース２Ａ内に、物品払出機構である複数の景品払出機構３が二列四段に配置されて取り付けられており、この各景品払出機構３にそれぞれ各種景品Ｇが吊り下げられることによって保持されるようになっている。
【０００５】
図２は、従来の景品払出機構３の構成を示す平面図であり、図３はこの景品払出機構３の側面図である。
【０００６】
この図２および３において、景品Ｇを保持する円盤状の回転体３Ａが、支持アーム３Ｂの先端部に水平面内において回転自在に支持されており、駆動ベルト３Ｃを介して駆動モータ３Ｄにより時計回り方向に回転されるようになっている。
【０００７】
回転体３Ａの外周部の等角度間隔位置には、それぞれの景品吊下部３Ａａが設けられていて、この景品吊下部３Ａａには、景品Ｇを吊り下げた状態で係脱自在に係止するフック３Ａａ１が取り付けられている。
【０００８】
この景品払出機構３には、図２において支持アーム３Ｂの先端部（図２において左側端部）の前方位置に景品の払出位置Ｐが設定されており、この払出位置Ｐに、景品吊下部３Ａａのフック３Ａａ１に吊り下げられた景品Ｇとフック３Ａａ１との係合を解除して景品Ｇを落下させる係合解除用アーム３Ｅａと３Ｅｂが、支持アーム３Ｂに固定されて取り付けられている。
【０００９】
上記景品払出機構３は、回転体３Ａが駆動ベルト３Ｃを介して駆動モータ３Ｄによりステップ回転されて、景品吊下部３Ａａが払出位置Ｐに移動されて来ると、この払出位置Ｐに取り付けられている係合解除用アーム３Ｅａと３Ｅｂが共働してフック３Ａａ１の景品Ｇに対する係合状態を解除することにより、景品Ｇを落下させる。
【００１０】
このようにして、図１に示されるように景品払出機構３に吊り下げられることによって景品払出装置１の景品収納スペース２Ａ内に収納されていた景品Ｇは、景品払出機構３から景品払出部２Ｂに落下されて、この景品払出部２Ｂに設けられた景品取出口２Ｂａ（図１参照）から取り出すことが出来るようになる（例えば、特許文献１参照）。
【００１１】
上記従来の景品払出機構３は、以下のような問題点を有している。
【００１２】
すなわち、この景品払出装置１に従来の景品払出機構３を使用する場合には、この景品払出機構３が、景品Ｇの吊り下げと払出位置Ｐへの搬送を円盤状に構成されている行う回転体３Ａによって行うために、景品Ｇの搬送経路が常に円形を描くこととなり、景品払出装置１の景品収納スペース２Ａ内における回転体３Ａの配置が制約されたり景品払出装置１の構成の自由度が制約を受けてしまうという問題が発生する。
【００１３】
さらに、この従来の景品払出機構３は、景品Ｇが回転体３Ａの外周に沿って吊り下げられるために、景品収納スペース２Ａの限られた空間を有効に利用することが出来ず、収納出来る景品Ｇの数が制限されてしまうという問題が発生する。
【００１４】
【特許文献１】特許３０８１５６８号公報
【発明の開示】
【発明が解決しようとする課題】
【００１５】
この発明は、上記従来の物品払出機構における問題点を解決するためになされたものである。
【００１６】
すなわち、この発明は、配置に際して高い自由度を有する物品払出機構を提供することを目的としている。
【課題を解決するための手段】
【００１７】
この発明（請求項１に記載の発明）による物品払出機構は、上記目的を達成するために、複数個の物品を吊り下げた状態で列状に保持するとともにこの保持している複数個の物品を列方向に搬送して、予め設定されている払出位置において保持状態を一個ずつ解除して落下させることにより物品の払い出しを行う物品払出機構において、駆動プーリ部材と、少なくとも一個の従動プーリ部材と、この駆動プーリ部材および従動プーリ部材間に巻回されて駆動プーリ部材の駆動によって水平面内において走行されるとともに複数個の物品を吊り下げた状態で保持する物品搬送チェーン部材と、この物品搬送チェーン部材に吊り下げられている物品の保持状態を予め設定されている払出位置において解除する解除部材とを備え、前記物品搬送チェーン部材が、物品を一個ずつ保持する複数個の物品保持具がチェーン状に連結されることによって構成され、前記物品保持具が、連結される前後の他の物品保持具と水平面内において互いに揺動自在に連結される保持具本体と、この保持具本体に物品搬送チェーン部材の走行方向に対して平行な垂直面内において揺動自在に取り付けられたフック部材とを備え、このフック部材が、保持する物品を解除自在に係止するフック部と、払出位置の手前側において解除部材に係合して物品搬送チェーン部材の走行による物品保持具の移動に伴って解除部材に押圧されることによりフック部材をフック部による物品の係止状態を解除する方向に回動させるレバー部とを有していることを特徴としている。
【００１８】
上記物品払出機構は、物品搬送チェーン部材が駆動プーリ部材と一個の従動プーリ部材または複数個の従動プーリ部材間に巻回されて、駆動プーリ部材の駆動回転により一定方向に走行され、この物品搬送チェーン部材を構成するチェーン状に連結された物品保持具が一個ずつ順に、予め設定されている払出位置に移動される。
【００１９】
この物品搬送チェーン部材を構成する各物品保持具には、それぞれのフック部材のフック部に係止されることによって景品等の物品が吊り下げられた状態で保持され、この物品保持具に保持された物品が物品搬送チェーン部材の走行に伴って、順次、払出位置に搬送される。
【００２０】
そして、払出位置の手前側において、物品保持具のフック部材のレバー部に解除部材が係合され、物品搬送チェーン部材の走行による物品保持具の移動に伴ってレバー部が解除部材に押圧されてフック部材が回動されることにより、フック部による物品の係止状態が解除される。
【発明の効果】
【００２１】
この発明による物品払出機構によれば、物品を吊り下げた状態で保持するとともにその物品を払出位置に搬送する物品搬送チェーン部材が、それぞれ物品を一個づつ保持する物品保持具がチェーン状に連結されることによって構成されていることにより、従来の物品払出機構と比べて、物品の搬送経路の設定の自由度が大幅に増大する。
【００２２】
例えば、物品払出機構に保持させる物品の数を多くするために、駆動プーリ部材と従動プーリ部材間の距離を大きく設定したり、従動プーリ部材を複数個使用して、物品の搬送経路を三角形や四角形、さらには、それ以上の多角形を形成するように構成することが可能になって、物品の搬送経路を様々な形態に構成することが出来るようになり、景品払出装置等への設置の自由度が大きくなるとともに、景品払出装置等における景品のディスプレイ効果を向上させるのに大きく貢献することが出来るようになる。
【発明を実施するための最良の形態】
【００２３】
この発明による物品払出機構は、駆動プーリと従動プーリとの間に、物品を一個ずつ保持する複数個の物品保持具がチェーン状に連結されることによって構成された物品搬送チェーンが巻回されている物品払出機構をその最良の実施形態としているものである。
【００２４】
この実施形態における物品払出機構は、物品搬送チェーンが駆動プーリの駆動回転によって走行されて、この物品搬送チェーンを構成する各物品保持具が、順次、物品の払出位置に搬送され、物品保持具にそれぞれ吊り下げられた状態で保持されている物品が、この払出位置においてその保持状態を解除されて落下することにより、払い出される。
【実施例】
【００２５】
図４ないし６は、この発明による物品払出機構の実施形態における一実施例を示しており、図４はこの物品払出機構の平面図、図５は側面図、図６は正面図である。
【００２６】
この図４ないし６において、物品払出機構１０は、駆動プーリ１１と従動プーリ１２が、同じ水平面内において、それぞれの軸線が垂直向きに向けられるとともに互いに所要の間隔を開けて配置されている。
【００２７】
そして、この駆動プーリ１１および従動プーリ１２に、物品搬送チェーン１３が巻回されている。
【００２８】
これら駆動プーリ１１および従動プーリ１２，物品搬送チェーン１３は、図示しない物品払出装置の本体ケーシングに固定されるアーム１４によって支持されている。
【００２９】
すなわち、アーム１４は、その先端部が駆動プーリ１１の上方を従動プーリ１２との間の中間部分に対向する位置まで水平に延びており、このアーム１４の先端部の下面側に、支持プレート１５が水平向きに固定されている。
【００３０】
駆動プーリ１１は、この支持プレート１５の後側部分（図４および５の右側部分）の上面側に、アーム１４との間に位置するように配置されてアーム１４および１５によって、水平面内において回転自在に支持されている。
【００３１】
そして、この駆動プーリ１１の回転軸１１Ａが、アーム１４に支持されている駆動部１６の図示しない駆動モータに連結されることによって、駆動回転されるようになっている。
【００３２】
従動プーリ１２は、支持プレート１５の前側部分（図４および５の左側部分）の上面側に、回転軸１２Ａを中心に水平面内において回転自在に支持されている。
【００３３】
この駆動プーリ１１と従動プーリ１２の外周部には、物品搬送チェーン１３を駆動走行させるための凹部１１Ｂと１２Ｂが、それぞれ等角度間隔位置に複数個形成されている。
物品搬送チェーン１３は、図７ないし９に示される物品保持具１３Ａがチェーン状に連結されることによって構成されている。
【００３４】
この図７は物品保持具１３Ａの表面図であり、図８は裏面図であり、図９は物品搬送チェーン１３の後述する進行方法の前側（図７の左側）から見た正面図である。
【００３５】
この図７ないし９において、物品保持具１３Ａの本体１３Ａａは、裏表方向の幅が小さく外形が縦長の略方形形状に成形されている。
【００３６】
そして、この本体１３Ａａの裏面側（図８に示されている側）の上端部に、水平方向に延びるとともに裏面側と正面側（図７において左側および図８において右側）が開放された第１溝部１３Ａａ１が形成され、この第１溝部１３Ａａ１は、正面側部分が表面側（図７に示されている側）にも開放されている。
【００３７】
さらに、この本体１３Ａａには、その後面側（図７において右側および図８において左側）の側部に、第１溝部１３Ａａ１に対向する位置においてこの本体１３Ａａから後方に突出する連結部１３Ａｂが本体１３Ａａと一体的に成形され、この連結部１３Ａｂに、上下方向に貫通する連結孔１３Ａｂ１が形成されている。
【００３８】
本体１３Ａａの上部部分には、その裏面側で第１溝部１３Ａａ１の直ぐ下方位置に、水平方向に延びるとともに裏面側と正面側，後面側の三方が開放された第２溝部１３Ａａ２が形成されている。
【００３９】
本体１３Ａａの下部部分には、この本体１３Ａａの内部において表面および裏面に対して平行に広がるとともに、本体１３Ａａの正面および下面，第２溝部１３Ａａ２内に開口部を有する第１スリット部１３Ａａ３が形成されている。
【００４０】
さらに、本体１３Ａａの下部部分の第１スリット部１３Ａａ３を挟んだ表壁面と裏壁面の幅方向において中央よりも後方部分に、それぞれ、下端側から上方に垂直に切れ込む第２スリット部１３Ａａ４が形成されている。
【００４１】
この第１スリット部１３Ａａ３内に、後述するような形状を有するフック１３Ａｃが、第２スリット部１３Ａａ４の上部前方位置において本体１３Ａａに対して裏表方向に延びるように取り付けられた支軸１３Ａｄにより、その上端部分を軸支されることによって、本体１３Ａａの表壁面および裏壁面と平行な平面内において揺動自在に取り付けられている。
【００４２】
このフック１３Ａｃは、支軸１３Ａｄに支持されている部分から下方方向に直線的に延びるアーム部１３Ａｃ１と、このアーム部１３Ａｃ１の下端部から後方側（図７において右側）に先端部が上向きになるように湾曲するフック部１３Ａｃ２と、アーム部１３Ａｃ１の上端部の支軸１３Ａｄに軸支されている部分から上方に延びるとともに後方側に所要の角度で傾斜するレバー部１３Ａｃ３によって一体的に構成されている。
【００４３】
そして、このフック１３Ａｃと本体１３Ａａとの間には、ばね１３Ａｅが介装されており、このばね１３Ａｅによって、フック１３Ａｃのレバー部１３Ａｃ３が後方方向（図７において反時計回り方向）に付勢されるようになっている。
【００４４】
このばね１３Ａｅは、その巻線部分の中心が支軸１３Ａｄによって嵌挿され、そして、一端部が本体１３Ａａに係合され、他端部がフック１３Ａｃのアーム部１３Ａｃ１の下端部分に係合された状態でフック１３Ａｃと本体１３Ａａとの間に介装されて、フック１３Ａｃを図７において反時計回り方向に付勢している。
【００４５】
本体１３Ａａには、さらに、後述するような形状を有する揺動レバー１３Ａｆが、本体１３Ａａから吊り下げられた状態で揺動自在に取り付けられている。
【００４６】
すなわち、この揺動レバー１３Ａｆは、図９から分かるように、正面方向から見た形状が上向きの略コの字形状となるように成形されており、本体１３Ａａがこの揺動レバー１３Ａｆの両側の二本のアーム部１３Ａｆ１，１３Ａｆ２の間に上方から遊嵌され、アーム部１３Ａｆ１，１３Ａｆ２の上端部が、それぞれ、本体１３Ａａの表壁面と裏壁面の支軸１３Ａｄの直ぐ下方位置に枢支されることによって、本体１３Ａａに対して揺動自在に吊り下げられている。
【００４７】
そして、このアーム部１３Ａｆ１，１３Ａｆ２の上端部の本体１３Ａａに対する枢支位置よりも内側部分において、アーム部１３Ａｆ１と１３Ａｆ２間に懸架されたバー１３Ａｆ３が、本体１３Ａａの第２スリット部１３Ａａ４内に挿通され、これによって、このバー１３Ａｆ３が、第２スリット部１３Ａａ４の上端縁に当接される位置と前側側縁に当接される位置との間で、揺動レバー１３Ａｆの本体１３Ａａに対する揺動を規制するようになっている。
【００４８】
アーム部１３Ａｆ１，１３Ａｆ２は、バー１３Ａｆ３の形成位置から下方部分が、本体１３Ａａの前方側に向かって先端部が上向きに湾曲する形状に成形されており、その先端部の両側に、それぞれ、本体１３Ａａの表方向および裏方向に張り出す翼部分１３Ａｆ４が一体的に形成されている。
【００４９】
さらに、本体１３Ａａの裏面側に位置されるアーム部１３Ａｆ１のほぼバー１３Ａｆ３が形成されている位置の外側部分に、突起部１３Ａｆ５が一体的に形成されている。
【００５０】
この物品保持具１３Ａは、図４から分かるように、本体１３Ａａに一体的に形成されている連結部１３Ａｂが、他の物品保持具１３Ａの本体１３Ａａに形成されている第１溝部１３Ａａ１の正面側部分に嵌合されて、この連結部１３Ａｂの連結孔１３Ａｂ１内に、他の物品保持具１３Ａの本体１３Ａａに第１溝部１３Ａａ１の正面側部分を上下方向に貫通するように嵌挿される連結ピン１３Ａｇが挿通されることによって、隣り合う二つの物品保持具１３Ａが水平面内において互いに揺動自在に連結される。
【００５１】
このようにして、複数の物品保持具１３Ａが互いにチェーン状に連結されることによって、環状の物品搬送チェーン１３が構成される。
【００５２】
そして、この物品搬送チェーン１３は、隣接する物品保持具１３Ａの本体１３Ａａ間に位置する連結部１３Ａｂが、駆動プーリ１１の外周部の等角度間隔位置に形成された凹部１１Ｂと従動プーリ１２の外周部の等角度間隔位置に形成された凹部１２Ｂに嵌合された状態で、駆動プーリ１１と従動プーリ１２間に巻回されていて、この駆動プーリ１１の凹部１１Ｂおよび従動プーリ１２の凹部１２Ｂと物品保持具１３Ａの連結部１３Ａｂとの嵌合によって、物品搬送チェーン１３が駆動プーリ１１の駆動回転によって、その搬送方向（この例では図１において時計回り方向）に走行されるようになっている。
【００５３】
物品払出機構１０には、さらに、解除用バー１７が、その基端部が支持プレート１５の従動プーリ１２の回転軸１２Ａが取り付けられている位置の下方部分に固定されて、物品搬送チェーン１３の各物品保持具１３Ａの第２溝部１３Ａａ２と同一高さ位置において、水平方向に延びるように取り付けられている。
【００５４】
そして、この解除用バー１７は、物品払出機構１０の最先端位置（図４において左側の先端位置）に設定される払出位置Ｐ１から物品搬送チェーン１３の走行方向において所要の角度だけ後方側（従動プーリ１２の反時計回り方向側）の位置に向かって延びて、この位置に位置している物品保持具１３Ａの第２溝部１３Ａａ２内に、その先端部が位置されている。
【００５５】
上記の構成を有する物品払出機構１０は、例えば図１において説明したような景品払出装置の景品収納スペース内に水平に設置されて使用される。
【００５６】
次に、上記物品払出機構１０への物品の装着方法およびこの物品払出機構１０の作動について、説明を行う。
【００５７】
物品払出装置に取り付けられた物品払出機構１０の物品搬送チェーン１３への物品の装着は、以下のような手順で行われる。
【００５８】
すなわち、物品搬送チェーン１３への物品の装着は、各物品保持具１３Ａごとに行われ、先ず、図１０に示されるように、物品保持具１３Ａの揺動レバー１３Ａｆが持ち上げられてこの図１０において反時計回り方向に回動されることにより、この揺動レバー１３Ａｆの先端部が、本体１３Ａａの第２スリット部１３Ａａ４の下側開口部に対向する位置から移動される。
【００５９】
この後、物品Ｇ１に設けられた吊下用係合部Ｇ１ａが、物品保持具１３Ａの下方から第２スリット部１３Ａａ４内に、フック１３Ａｃのフック部１３Ａｃ２の先端部と第２スリット部１３Ａａ４の後方側内側部との間を押し広げながら、挿入される。
【００６０】
そして、図１１に示されるように、物品Ｇ１の吊下用係合部Ｇ１ａが物品保持具１３Ａの第２スリット部１３Ａａ４の所要の位置まで挿入されると、この物品Ｇ１の吊下用係合部Ｇ１ａに形成されている吊下用穴Ｇ１ａ１内にフック１３Ａｃのフック部１３Ａｃ２が挿通されて、この物品の吊下用係合部Ｇ１がフック１３Ａｃに係止される。
【００６１】
このようにして、物品搬送チェーン１３の各物品保持具１３Ａに、物品Ｇ１が一個ずつ吊り下げられる。
【００６２】
この後、物品払出装置の制御部による駆動制御によって、物品払出機構１０の駆動部１６が駆動されて、駆動プーリ１１がステップ回転されることにより、物品搬送チェーン１３の各物品保持具１３Ａが、順次、物品払出機構１０の最先端位置に設定された払出位置Ｐ１の方向に移動されるように走行される。
【００６３】
このとき、この各物品保持具１３Ａが払出位置Ｐ１に向かって搬送走行されて、払出位置Ｐ１の手前に配置された解除用バー１７の位置を通過する際に、物品保持具１３Ａの第２溝部１３Ａａ２内を相対的に移動する解除用バー１７の先端部が、物品保持具１３Ａのフック１３Ａｃのレバー部１３Ａｃ３と係合する。
【００６４】
物品搬送チェーン１３の走行に伴って物品保持具１３Ａがさらに進行すると、図１２に示されるように、物品保持具１３Ａに対して相対的に移動して行く解除用バー１７の先端部が、フック１３Ａｃのレバー部１３Ａｃ３を押し倒していって、これにより、フック１３Ａｃが、ばね１３Ａｅの付勢力に抗して、時計回り方向に回動されてゆく。
【００６５】
そして、物品保持具１３Ａが払出位置Ｐ１の位置まで来ると、フック１３Ａｃのフック部１３Ａｃ２が本体１３Ａａの第２スリット部１３Ａａ４に対向する位置から後退されて、物品Ｇ１の吊下用係合部Ｇ１ａとの係合が解除される。
【００６６】
このようにして、各物品保持具１３Ａに吊り下げられた状態で保持されていた物品Ｇ１が、払出位置Ｐ１において物品搬送チェーン１３から落下されて、物品払出装置の下部に設けられた図示しない物品取り出し口からの取り出しが出来るようになる。
【００６７】
なお、物品保持具１３Ａが払出位置Ｐ１を通過した後、フック１３Ａｃのレバー部１３Ａｃ３と解除用バー１７の先端部との係合状態が解除されることによって、フック１３Ａｃは、ばね１３Ａｅによって、図１２において反時計回り方向に付勢されて、もとの待機状態（図７に示される状態）に復帰する。
【００６８】
上記の物品払出機構１０によれば、物品Ｇ１を吊り下げた状態で保持するとともにその物品Ｇ１を払出位置Ｐ１に搬送する物品搬送チェーン１３が、それぞれ物品Ｇ１を一個づつ保持する物品保持具１３Ａがチェーン状に連結されて構成されていることによって、従来の物品払出機構と比べて、物品の搬送経路の設定の自由度が大幅に増大する。
【００６９】
例えば、一台当たりの物品払出機構１０が保持する物品の数を多くするために駆動プーリ１１と従動プーリ１２間の距離を大きく設定したり、従動プーリ１２を複数個使用して、物品の搬送経路を三角形や四角形、さらには、それ以上の多角形を形成するように構成することが可能になり、これによって、物品払出装置への設置の自由度が拡大されるとともに、景品払出装置等における景品のディスプレイ効果を向上させるのに大きく貢献することが出来る等の効果を発揮することが出来る。
【００７０】
さらに、上記物品払出機構１０によれば、物品搬送チェーン１３を構成する各物品保持具１３Ａが、それぞれ、本体１３Ａａに対して揺動自在に取り付けられた揺動レバー１３Ａｆを有し、この揺動レバー１３Ａｆが、物品の吊下用係合部Ｇ１が挿入される第２スリット部１３Ａａ４の下端開口部をカバーするようになっているので、物品を装着する作業者は、物品を物品保持具１３Ａに装着する際に、この揺動レバー１３Ａｆを操作して第２スリット部１３Ａａ４の下端開口部を開放した後に物品Ｇ１の吊下用係合部Ｇ１ａを第２スリット部１３Ａａ４内に挿入してゆくことになって、物品を装着する作業が従来のものと比べて丁寧にならざるを得ず、これによって、物品の装着時に物品保持具１３Ａが破損するのを防止することが出来るようになる。
【００７１】
そして、物品保持具１３Ａに揺動レバー１３Ａｆが取り付けられていることによって、図１１に示されるように、物品保持具１３Ａに物品が保持されている状態で、揺動レバー１３Ａｆの先端部がフック１３Ａｃに係止されている物品Ｇ１の吊下用係合部Ｇ１ａに当接されて、物品Ｇ１の吊下用係合部Ｇ１ａをフック部１３Ａｃ２の基端側に押圧するとともに、このフック部１３Ａｃ２の先端部と本体１３Ａａの第２スリット部１３Ａａ４の内側部との間の部分をカバーするので、物品搬送チェーン１３の駆動時の振動や物品払出機構１０が取り付けられている物品払出装置自体の振動等によって、物品がフック１３Ａｃから外れて物品保持具１３Ａから誤って落下するといった自体が発生するのを防止することが出来るようになる。
【産業上の利用可能性】
【００７２】
この発明は、ゲームの景品等を払い出す景品払出装置のほか、販売用商品等の様々な物品の払い出しを行う装置に利用が可能である。
【図面の簡単な説明】
【００７３】
【図１】物品払出機構が取り付けられる従来の払出装置の一例を示す斜視図である。
【図２】従来の物品払出機構を示す平面図である。
【図３】同従来例の側面図である。
【図４】この発明による物品払出機構の実施例を示す平面図である。
【図５】同物品払出機構の側面図である。
【図６】同物品払出機構の正面図である。
【図７】同物品払出機構の物品搬送チェーンを構成する物品保持具を示す表面図である。
【図８】同物品保持具の裏面図である。
【図９】同物品保持具の正面図である。
【図１０】同物品保持具に物品を保持させる時の状態を示す状態説明図である。
【図１１】同物品保持具に物品が保持されている時の状態を示す状態説明図である。
【図１２】同物品保持具の物品の保持を解除した時の状態を示す状態説明図である。
【符号の説明】
【００７４】
１０        …物品払出機構
１１        …駆動プーリ（駆動プーリ部材）
１２        …従動プーリ（従動プーリ部材）
１３        …物品搬送チェーン
１３Ａ      …物品保持具
１３Ａａ    …本体（保持具本体）
１３Ａｃ    …フック（フック部材）
１３Ａｃ２  …フック部
１３Ａｃ３  …レバー部
１３Ａｆ    …揺動レバー
１３Ａｆ３  …バー
１３Ａｆ４  …翼部分（先端部）
Ｇ１        …物品
Ｇ１ａ      …吊下用係合部
Ｇ１ａ１    …吊下用穴
【図１】
2005160752.tif 000003
【図２】
2005160752.tif 000004
【図３】
2005160752.tif 000005
【図４】
2005160752.tif 000006
【図５】
2005160752.tif 000007
【図６】
2005160752.tif 000008
【図７】
2005160752.tif 000009
【図８】
2005160752.tif 000010
【図９】
2005160752.tif 000011
【図１０】
2005160752.tif 000012
【図１１】
2005160752.tif 000013
【図１２】
2005160752.tif 000014